(57)【要約】【課題】  遊技領域の全体を十分に活用した遊技を可能にする、新規な構造のパチンコ機を提供することを目的とする。【解決手段】  センター役物３６の庇４４に形成された案内面４６を、センター役物３６に形成された誘導口４８の上方から右下がりで傾斜して延びるように形成すると共に、遊技領域３４におけるセンター役物３６よりも右側の領域であって、且つ、案内面４６の右端よりも下方に位置するように入賞装置８０ｃを設けた。【選択図】      図２
2006174913.tif 000002
【特許請求の範囲】
【請求項１】
遊技領域の略中央に設けられたセンター役物と、
該センター役物の前面側に設けられて、略左右に延びる庇と、
該庇の左端下方に形成されて、前記センター役物内に遊技球を誘導する誘導口と、
前記センター役物内に形成されて、前記センター役物内に誘導されてきた遊技球が入球した場合に、所定の確率で遊技者に特典を付与するように設定された入球口と、
前記庇の上面によって形成されて、前記誘導口の上方から右下がりで傾斜して延びることにより、遊技球を左側から右側に転動せしめる案内面と、
前記遊技領域における前記センター役物よりも右側の領域であって、且つ、前記案内面の右端よりも下方に位置するように設けられた入賞装置と
を、備えていることを特徴とするパチンコ機。
【請求項２】
前記入賞装置が、起立及び傾動可能に軸支された一対の可動翼片を備えた構造とされており、これら一対の可動翼片の間を通ることによって遊技球が該入賞装置に入球するようになっていると共に、前記入球口に遊技球が入球することにより該一対の可動翼片が傾動せしめられるようにした請求項１に記載のパチンコ機。
【請求項３】
前記一対の可動翼片の傾動状態を、遊技球が入球するまで継続するようにした請求項２に記載のパチンコ機。
【発明の詳細な説明】
【技術分野】
【０００１】
本発明は、誘導口から内部に誘導されてきた遊技球が入球する入球口を備えるセンター役物が遊技領域に設けられたパチンコ機に関するものである。
【背景技術】
【０００２】
この種のパチンコ機のセンター役物として、特許文献１（特開平６−３０４３０８号公報）に記載の如き入賞具が採用され得る。かかる特許文献１に記載の入賞具は、その前面側に配された装飾体の頂部において、左右に下る傾斜樋が形成されていると共に、各傾斜樋の下り側の端部において、遊技球を入賞具内に誘導する入賞口が形成された構造とされており、入賞具内に誘導されてきた遊技球が旋回体によって振り分けられて、複数の排出口の何れかに入球せしめられるようになっている。
【０００３】
そして、このような構造の入賞具が、センター役物としてパチンコ機に採用された場合、特定の排出口に遊技球が入球することによって、大当たり等の利益が遊技者に付与されるような設定が一般的に行われている。
【０００４】
それ故、遊技者は、センター役物（入賞具）内に遊技球が誘導されるように、入賞口を狙って遊技球を発射することとなる。
【０００５】
ところで、遊技領域に設けられるセンター役物としては、特許文献１に記載の入賞具もそうであったように、前面側に配される部材の頂部を挟んで左右両側に入賞口が形成されていることが多い。
【０００６】
しかしながら、特定の排出口に遊技球が入球せしめられる確率は、左右何れの入賞口から入賞具内に誘導された場合であっても、同じとなるように設定されているのが、一般的である。
【０００７】
また、遊技領域の入口は、遊技領域の左側上部に設けられているのが一般的であることから、頂部の右側に形成された入賞口を狙う場合には、頂部の左側に形成された入賞口を狙う場合よりも、遊技球の発射強度を強くする必要がある。
【０００８】
ところが、頂部の右側に形成された入賞口を狙おうとして遊技球の発射強度を強くすると、遊技球に必要以上の勢いが付いてしまうこととなり、その結果、頂部の左側に形成された入賞口よりも頂部の右側に形成された入賞口のほうが狙い難くなってしまう。
【０００９】
そうすると、多くの場合、遊技領域の入口に近いほうの入賞口となる、頂部の左側に形成された入賞口を狙って遊技球が発射されることとなり、かかる左側の入賞口から入賞具内に遊技球が誘導される割合が多くなる。
【００１０】
そこで、前面側に配される部材の頂部の左側にのみ入賞口を形成したセンター役物を遊技領域に設けることが考えられる。ところが、このような構造のセンター役物を採用すると、遊技領域においてセンター役物が設けられた位置よりも右側の領域を遊技球が流れないようになってしまい、遊技領域の全体を十分に活用した遊技が出来なくなってしまうという問題がある。
【００１１】
【特許文献１】特開平６−３０４３０８号公報
【発明の開示】
【発明が解決しようとする課題】
【００１２】
ここにおいて、本発明は、上述の如き事情を背景として為されたものであって、その解決課題とするところは、遊技領域の全体を十分に活用した遊技を可能にする、新規な構造のパチンコ機を提供することにある。
【課題を解決するための手段】
【００１３】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体に記載されたもの、或いはそれらの記載から当業者が把握することが出来る発明思想に基づいて認識されるものであることが理解されるべきである。
【００１４】
パチンコ機に関する本発明の第一の態様は、（ａ）遊技領域の略中央に設けられたセンター役物と、（ｂ）該センター役物の前面側に設けられて、略左右に延びる庇と、（ｃ）該庇の左端下方に形成されて、前記センター役物内に遊技球を誘導する誘導口と、（ｄ）前記センター役物内に形成されて、前記センター役物内に誘導されてきた遊技球が入球した場合に、所定の確率で遊技者に特典を付与するように設定された入球口と、（ｅ）前記庇の上面によって形成されて、前記誘導口の上方から右下がりで傾斜して延びることにより、遊技球を左側から右側に転動せしめる案内面と、（ｆ）前記遊技領域における前記センター役物よりも右側の領域であって、且つ、前記案内面の右端よりも下方に位置するように設けられた入賞装置とを、備えていることを、特徴とする。
【００１５】
このような本態様に従う構造とされたパチンコ機においては、センター役物の庇に形成された案内面が、センター役物に形成された誘導口の上方から右下がりで傾斜して延びていることから、誘導口からセンター役物内に誘導されなかった遊技球を、案内面によって、遊技領域におけるセンター役物よりも右側の領域に案内することが可能となる。
【００１６】
従って、本態様に係るパチンコ機においては、センター役物に形成された誘導口を狙って遊技球を発射した場合であっても、遊技球が、遊技領域におけるセンター役物よりも右側の領域を、流下せしめられ得ることとなり、遊技領域の全体を有効に利用した遊技を行うことが可能となる。
【００１７】
そこにおいて、本態様に係るパチンコ機にあっては、遊技領域におけるセンター役物よりも右側の領域であって、且つ、案内面の右端よりも下方に位置するように入賞装置が設けられていることから、積極的に入賞装置を狙って遊技球を発射しなくても、入賞装置に遊技球が入球する可能性がある。
【００１８】
それ故、本態様に係るパチンコ機においては、センター役物に形成された誘導口を狙って遊技球を発射した場合に、誘導口からセンター役物内に誘導された遊技球が入球口に入球することによって得ることが可能な特典に対する期待感を遊技者に与えながら、更に、誘導口からセンター役物内に誘導されなかった遊技球が、入賞装置に入球するかもしれないという期待感を遊技者に与えることが可能となり、それによって、遊技者に遊技をする楽しみを与えることが可能となる。
【００１９】
なお、本態様において、「センター役物の前面側」とは、パチンコ機で遊技をしている遊技者、即ち、パチンコ機に向き合っている遊技者の側をいうものとする。また、本態様における「左右」とは、パチンコ機で遊技をしている遊技者、即ち、パチンコ機に向き合っている遊技者から見た状態での左右をいうものとする。
【００２０】
更にまた、本態様における特典とは、例えば、賞球の払い出しであっても良いし、入口を塞ぐ扉が開閉可能に軸支された構造の入賞装置を採用する場合において、かかる扉を開作動せしめて、遊技球が入賞装置に入球可能な状態を発現せしめることであっても良いし、一対の可動翼片が入口付近において起立及び傾動可能に軸支された構造の入賞装置を採用する場合において、かかる一対の可動翼片を傾動せしめて、入賞装置に遊技球が入賞しやすい状態を発現することであっても良い。そこにおいて、付与される特典は、一種類のみであっても良いし、複数種類であっても良い。
【００２１】
また、本態様における入球口は、一つだけ形成されていても良いし、複数形成されていても良い。入球口が複数形成されている場合には、各入賞口毎に異なる特典を付与するように設定しても良い。
【００２２】
更にまた、本態様における「所定の確率で遊技者に特典を付与する」とは、例えば、乱数を用いた抽選を行い、その抽選に当たることを条件として遊技者に特典を付与する場合のみならず、遊技球が入球することによって必ず特典を付与する場合も含むものとする。
【００２３】
本発明の第二の態様は、前記第一の態様に係るパチンコ機において、前記入賞装置が、起立及び傾動可能に軸支された一対の可動翼片を備えた構造とされており、これら一対の可動翼片の間を通ることによって遊技球が該入賞装置に入球するようになっていると共に、前記入球口に遊技球が入球することにより該一対の可動翼片が傾動せしめられるようにしたことを、特徴とする。このような本態様に従う構造とされたパチンコ機においては、案内面によって遊技領域におけるセンター役物よりも右側の領域に案内されてきた遊技球が入賞装置に入球する確率を高めることが可能となる。
【００２４】
それ故、本態様に係るパチンコ機においては、遊技球が入賞装置に入賞するかもしれないとの期待感を一層高めることが可能となり、それによって、遊技者を一層楽しませることが可能となる。
【００２５】
本発明の第三の態様は、前記第二の態様に係るパチンコ機において、前記一対の可動翼片の傾動状態を、遊技球が入球するまで継続するようにしたことを、特徴とする。このような本態様に従う構造とされたパチンコ機においては、案内面によって遊技領域におけるセンター役物よりも右側の領域に案内されてきた遊技球が入賞装置に入球する確率を一層高めることが可能となり、それによって、遊技球が入賞装置に入賞するかもしれないとの期待感をより一層高めることが可能となり、その結果、遊技者をより一層楽しませることが可能となる。
【発明の効果】
【００２６】
上述の説明から明らかなように、本発明に従う構造とされたパチンコ機においては、センター役物に設けられた庇の左端下方に誘導口が形成されていると共に、庇の上面によって、遊技球を左側から右側に転動せしめる案内面が形成されていることから、誘導口を狙って遊技球を発射したとしても、誘導口に入球しなかった遊技球が案内面によって遊技領域におけるセンター役物よりも右側の領域に案内されるようになっており、それによって、誘導口を狙って遊技球を発射した場合であっても、遊技領域の全体を有効に利用した遊技を実現することが出来る。また、遊技領域におけるセンター役物よりも右側の領域であって、且つ、案内面の右端よりも下方に位置するように入賞装置を設けたことにより、センター役物に形成された誘導口を狙って遊技球を発射した場合に、誘導口からセンター役物内に誘導されてきた遊技球が入球口に入球することによって付与される可能性がある特典に対する期待感を遊技者に与えつつ、誘導口からセンター役物内に誘導されなかった遊技球が、案内面によって案内されて、入賞装置に入球するかもしれないとの期待感を遊技者に与えることが可能となり、それによって、遊技者を楽しませることが可能となる。
【発明を実施するための最良の形態】
【００２７】
以下、本発明を更に具体的に明らかにするために、本発明の実施形態について、図面を参照しつつ、詳細に説明する。
【００２８】
図１には、本発明の一実施形態としてのパチンコ機１０が示されており、図２には、パチンコ機１０が備えている遊技盤１２が示されている。なお、以下の説明において、左右方向とは、原則として、図１及び図２中の左右方向をいうものとし、上下方向とは、原則として、図１及び図２中の上下方向をいうものとする。
【００２９】
このパチンコ機１０は、機体の外郭を為す外枠１４の開口前面側において、各種の遊技用構成部材をセットする縦長方形の中枠１６が開閉および着脱自在に取り付けられている。また、中枠１６の前面側には、中枠１６に対して着脱自在に組み付けられた遊技盤１２（図２参照）を透視保護するためのガラス板が保持されたガラス枠１８と、上皿２０を備えた皿板２２が、それぞれ、開閉可能な状態で組み付けられている。更にまた、上皿２０の下方には、下皿２４が設けられており、かかる下皿２４の右方には、発射ハンドル２６が設けられている。そして、遊技者が発射ハンドル２６に対して回動操作可能に装着された発射レバー２８を回動操作することによって、上皿２０に貯留された遊技球が図示しない球送り機構を介して発射装置（図示せず）に送られた後、遊技盤１２に形成された遊技領域３４（後述する）に向けて発射されるようになっている。
【００３０】
続いて、遊技盤１２の構造について、図２に基づいて説明する。遊技盤１２は、略正方形状の板材の表面に合成樹脂製のフィルムが接着剤で貼り付けられた構造の遊技板３０を備えており、かかる遊技板３０におけるフィルムが貼り付けられた側の面にガイドレール３２が取り付けられている。そして、かかるガイドレール３２によって囲まれた略円形の領域によって遊技領域３４が形成されている。
【００３１】
この遊技領域３４には、その略中央部分において、センター役物３６が固定的に取り付けられている。なお、本実施形態おいて、遊技領域３４の略中央部分とは、遊技領域３４の中心にセンター役物３６の一部が重なるような領域をいうものとする。
【００３２】
センター役物３６は、図３にも示されているように、遊技板３０に取り付けられる取付板部３８に対して後方に突出する本体枠４０が取り付けられた構造とされており、全体として、前面に開口する凹所４２を備えたボックス形状とされている。
【００３３】
また、センター役物３６における取付板部３８には、前方に突出する庇４４が設けられている。この庇４４は、凹所４２の開口部の上方において左右に延びるように設けられており、その上面４６は、左側から右側に下る傾斜面とされている。そこにおいて、本実施形態では、かかる庇４４の上面４６の右端は、凹所４２の開口部の右側に位置せしめられている。これにより、庇４４の上面４６を下った遊技球は、遊技領域３４におけるセンター役物３６よりも右側の領域に到達するようになっている。即ち、庇４４の上面４６によって案内面が形成されているのである。
【００３４】
更にまた、庇４４の左端下方には、遊技球が入球可能な誘導口４８が左側に向かって開口するように形成されている。なお、誘導口４８の下方には、左側に向かって下る誘導面５０が形成されており、かかる誘導面５０の左端は、凹所４２の左側に位置せしめられている。これにより、誘導面５０を下った遊技球は、遊技領域３４におけるセンター役物３６よりも左側の領域に誘導されるようになっている。
【００３５】
また、誘導口４８に入球した遊技球は、案内通路（図示せず）を通って、凹所４２内に設けられた上側転動フロア５２に到達するようになっている。この上側転動フロア５２は、その中央部分に落下孔５４が形成された構造とされており、フロア面の全体に亘って、落下孔５４に向かって下る緩やかな傾斜が付されている。これにより、案内通路を通って、上側転動フロア５２に案内されてきた遊技球は、上側転動フロア５２を転動せしめられた後、落下孔５４に入球するようになっている。
【００３６】
落下孔５４に入球した遊技球は、周方向に延びながら下る螺旋通路５６を通って、下側転動フロア５８に案内されるようになっている。下側転動フロア５８には、縦壁６０が突出形成されており、それによって、下側転動フロア５８が複数（本実施形態では、三つ）の領域６２，６４，６６に区画されている。これら三つの区画領域６２，６４，６６には、一つずつ排出口６８，７０，７２が形成されている。また、各区画領域６２，６４，６６には、排出口６８，７０，７２に向かって下る傾斜が付されている。
【００３７】
そして、螺旋通路５６を通ってきた遊技球は、三つの区画領域６２，６４，６６の何れかに落下するようになっており、各区画領域６２，６４，６６において転動せしめられた後、各区画領域６２，６４，６６に形成された排出口６８，７０，７２に入球することによって、遊技盤１２の裏側に排出されるようになっている。また、各排出口６８，７０，７２に遊技球が入球することに基づいて、所定数の賞球の払い出しが行われるようになっている。
【００３８】
そこにおいて、図面上では明示されていないが、螺旋通路５６は、その始端部分が落下孔５４の下方に位置せしめられた状態で、始端部分を中心として、終端部分が各区画領域６２，６４，６６の上方を順次通過するように、図示しない電気モータによって回転駆動せしめられるようになっている。これにより、螺旋通路５６によって案内されてきた遊技球の下側転動フロア５８における落下位置が、螺旋通路５６の回転位置に応じて変化せしめられることとなり、その結果、何れの排出口６８，７０，７２に遊技球が入球するかを、遊技者が予測しにくいようになっている。
【００３９】
すなわち、本実施形態では、螺旋通路５６を電気モータ（図示せず）によって回転駆動せしめることにより、螺旋通路５６によって案内されてきた遊技球を、三つの排出口６８，７０，７２の何れかから排出させるために、振り分けているのである。このことから明らかなように、本実施形態では、図示しない電気モータによって回転駆動せしめられる螺旋通路５６を含んで、センター役物３６内に誘導されてきた遊技球をセンター役物３６内に形成された複数の排出口６８，７０，７２から排出させるために振り分ける振分手段が構成されているのである。
【００４０】
なお、本実施形態では、かかる螺旋通路５６の回転は、パチンコ機１０の電源投入時から行われるようになっており、その回転速度および回転方向は一定に保たれている。
【００４１】
また、センター役物３６における取付板部３８には、庇４４よりも上方において、上側に向かって開口する上側球受口７４が形成されており、かかる上側球受口７４に入球した遊技球は、遊技盤１２の裏側に排出されるようになっている。更にまた、上側球受口７４に遊技球が入球することに基づいて、所定数の賞球の払い出しが行われるようになっている。
【００４２】
さらに、遊技領域３６におけるセンター役物３６の左右両側の領域には、上方に向かってポケット状に開口するセーフ球受口器７６，７８が、一つずつ設けられている。そして、各セーフ球受口器７６，７８に入球した遊技球は、遊技盤１２の裏側に排出されるようになっている。また、セーフ球受口器７６，７８に遊技球が入球することに基づいて、所定数の賞球の払い出しが行われるようになっている。
【００４３】
更にまた、遊技領域３４におけるセンター役物３６よりも下側の領域には、複数（本実施形態では、六つ）の可変入賞装置８０ａ〜ｆが設けられており、各可変入賞装置８０に入球した遊技球は、遊技盤１２の裏側に排出されるようになっている。また、可変入賞装置８０に遊技球が入球することに基づいて、所定数の遊技球の払い出しが行われるようになっている。
【００４４】
そこにおいて、本実施形態では、これら六つの可変入賞装置８０ａ〜ｆは、上段と下段に三つずつ分けられた状態で位置せしめられている。また、本実施形態では、上段の三つの可変入賞装置８０ａ〜ｃにおいて隣り合う二つの可変入賞装置８０，８０の左右方向での離隔距離が、下段の三つの可変入賞装置８０ｄ〜ｆにおいて隣り合う二つの可変入賞装置８０，８０の左右方向での離隔距離よりも大きくされている。
【００４５】
これにより、上段の左右両側に位置する可変入賞装置８０ａ，ｃは、下段の左右両側に位置する可変入賞装置８０ｄ，ｆよりも、外側に位置せしめられている。特に、本実施形態では、上段左右両側に位置する可変入賞装置８０ａ，ｃは、それぞれ、セーフ球受口器７６，７８の下方に位置するようになっている。即ち、本実施形態では、上段左側に位置する可変入賞装置８０ａは、遊技領域３４においてセンター役物３６よりも左側の領域に設けられており、上段右側に位置する可変入賞装置８０ｃは、遊技領域３４においてセンター役物３６よりも右側の領域に設けられているのである。
【００４６】
また、本実施形態では、可変入賞装置８０として、実開昭６３−２００４７６号公報等に記載されている、従来から公知の構造の可変入賞装置が採用されている。かかる可変入賞装置８０の構造について、簡単に説明すると、可変入賞装置８０は、取付板８２に形成された球入口（図示せず）の前面両側に一対の可動翼片８４，８４が起立および傾動自由に軸支されていると共に、取付板８２の後面に案内箱（図示せず）が設けられており、かかる案内箱に対して、一対の可動翼片８４，８４間を通る遊技球によって回転せしめられて、可動翼片８４の起立と傾動を制御する回転体（図示せず）と、案内箱の後部上面に形成された球落口（図示せず）から案内箱内に導かれた遊技球によって揺動せしめられることにより、回転体を回転せしめて、起立した可動翼片８４を傾動せしめる揺動レバー（図示せず）とが軸支された構造とされている。
【００４７】
従って、本実施形態では、各可変入賞装置８０に設けられた一対の可動翼片８４，８４は、遊技球が入球した場合に、傾動せしめられることとなる。また、各可変入賞装置８０に設けられた一対の可動翼片８４，８４は、一度傾動せしめられると、遊技球が入球するまで、傾動状態が維持されるようになっている。
【００４８】
そこにおいて、本実施形態では、上段左側の可変入賞装置８０ａに設けられた一対の可動翼片８４ａ，８４ａは、左側のセーフ球受口器７６に遊技球が入球した場合や、下側転動フロア５８における奥方左側の区画領域６４に形成された排出口７０に遊技球が入球した場合にも、傾動せしめられるようになっている。即ち、本実施形態では、遊技盤１２の裏側において、左側のセーフ球受口器７６に入球した遊技球や、下側転動フロア５８における奥方左側の区画領域６４に形成された排出口７０に入球した遊技球が、上段左側の可変入賞装置８０ａの案内箱内に導かれるような排出路を備えているのである。
【００４９】
また、本実施形態では、上段真中の可変入賞装置８０ｂに設けられた一対の可動翼片８４ｂ，８４ｂは、下側転動フロア５８における手前側の区画領域６２に形成された排出口６８に遊技球が入球した場合にも、傾動せしめられるようになっている。即ち、本実施形態では、遊技盤１２の裏側において、下側転動フロア５８における手前側の区画領域６２に形成された排出口６８に入球した遊技球が、上段真中の可変入賞装置８０ｂの案内箱内に導かれるような排出路を備えているのである。
【００５０】
さらに、本実施形態では、上段右側の可変入賞装置８０ｃに設けられた一対の可動翼片８４ｃ，８４ｃは、右側のセーフ球受口器７８に遊技球が入球した場合や、下側転動フロア５８における奥方右側の区画領域６６に形成された排出口７２に遊技球が入球した場合にも、傾動せしめられるようになっている。即ち、本実施形態では、遊技盤１２の裏側において、右側のセーフ球受口器７８に入球した遊技球や、下側転動フロア５８における奥方右側の区画領域６６に形成された排出口７２に入球した遊技球が、上段右側の可変入賞装置８０ｃの案内箱内に導かれるような排出路を備えているのである。
【００５１】
更にまた、本実施形態では、下段左側の可変入賞装置８０ｄに設けられた一対の可動翼片８４ｄ，８４ｄは、上段左側の可変入賞装置８０ａに遊技球が入球した場合や、上側球受口７４に遊技球が入球した場合にも、傾動せしめられるようになっている。即ち、本実施形態では、遊技盤１２の裏側において、上段左側の可変入賞装置８０ａに入球した遊技球や、上側球受口７４に入球した遊技球が、下段左側の可変入賞装置８０ｄの案内箱内に導かれるような排出路を備えているのである。
【００５２】
また、本実施形態では、下段真中の可変入賞装置８０ｅに設けられた一対の可動翼片８４ｅ，８４ｅは、上段真中の可変入賞装置８０ｂに遊技球が入球した場合や、下側転動フロア５８における手前側の区画領域６２に形成された排出口６８に遊技球が入球した場合にも、傾動せしめられるようになっている。即ち、本実施形態では、遊技盤１２の裏側において、上段真中の可変入賞装置８０ｂに入球した遊技球や、下側転動フロア５８における手前側の区画領域６２に形成された排出口６８に入球した遊技球が、下段真中の可変入賞装置８０ｅの案内箱内に導かれるような排出路を備えているのである。
【００５３】
なお、このことから明らかなように、本実施形態では、下側転動フロア５８における手前側の区画領域６２に形成された排出口６８に遊技球が入球した場合、上段真中の可変入賞装置８０ｂに設けられた一対の可動翼片８４ｂ，８４ｂと、下段真中の可変入賞装置８０ｅに設けられた一対の可動翼片８４ｅ，８４ｅとが、傾動せしめられるようになっている。
【００５４】
更にまた、本実施形態では、下段右側の可変入賞装置８０ｆに設けられた一対の可動翼片８４ｆ，８４ｆは、上段右側の可変入賞装置８０ｃに遊技球が入球した場合にも、傾動せしめられうようになっている。即ち、本実施形態では、遊技盤１２の裏側において、上段右側の可変入賞装置８０ｃに入球した遊技球が下段右側の可変入賞装置８０ｆの案内箱内に導かれるような排出路を備えているのである。
【００５５】
上述の説明から明らかなように、本実施形態では、各排出口６８，７０，７２によって入球口が構成されている。そして、本実施形態では、排出口６８に遊技球が入球することによって遊技者に付与される特典は、所定数の賞球の払い出しと、上段左側の可変入賞装置８０ａに設けられた一対の可動翼片８４ａ，８４ａの傾動の二種類である。また、本実施形態では、排出口７０に遊技球が入球することによって遊技者に付与される特典は、所定数の賞球の払い出しと、上段真中の可変入賞装置８０ｂに設けられた一対の可動翼片８４ｂ，８４ｂの傾動と、下段真中の可変入賞装置８０ｅに設けられた一対の可動翼片８４ｅ，８４ｅの傾動の三種類である。更にまた、本実施形態では、排出口７２に遊技球が入球することによって遊技者に付与される特典は、所定数の賞球の払い出しと、上段右側の可変入賞装置８０ｃに設けられた一対の可動翼片８４ｃ，８４ｃの傾動の二種類である。また、本実施形態では、上段右側の可変入賞装置８０ｃによって、入賞装置が構成されている。
【００５６】
このような構造とされたパチンコ機１０においては、遊技者が発射レバー２８を回動操作して遊技球を発射することにより、遊技球が遊技領域３４の上方に誘導されることとなる。そして、このように遊技領域３４の上方に誘導されてきた遊技球は、遊技領域３４に設けられた風車８６や遊技釘（図示せず）に当たることによって、その流下方向を変化させながら、遊技領域３４を上方から下方に向かって流下するようになっている。
【００５７】
そこにおいて、本実施形態では、遊技者がセンター役物３６に形成された誘導口４８を狙って遊技球を発射した場合、誘導口４８に入球しなかった遊技球が、誘導口４８の上方から右側に下るように延びる庇４４の上面４６によって、遊技領域３４におけるセンター役物３６よりも右側の領域に案内されるようになっている。
【００５８】
そして、かかる遊技領域３４におけるセンター役物３６よりも右側の領域には、庇４４の上面４６の右端よりも下方に位置するように、上段右側の可変入賞装置８０ｃが設けられていることから、庇４４の上面４６によって案内されてきた遊技球が、上段右側の可変入賞装置８０ｃに入球する可能性がある。
【００５９】
従って、センター役物３６に形成された誘導口４８を狙って遊技球を発射していたとしても、遊技領域３４の全体を有効に利用することが可能となり、しかも、上段右側の可変入賞装置８０ｃに遊技球が入球するかもしれないとの期待感を遊技者に与えて、遊技者を楽しませることも可能となる。
【００６０】
加えて、誘導口４８からセンター役物３６内に誘導された遊技球が、複数の排出口６８，７０，７２の何れかに入球すると、賞球の払い出しが行われるようになっていることから、遊技者がセンター役物３６に形成された誘導口４８を狙って遊技球を発射した場合には、排出口６８，７０，７２の何れかに遊技球が入球することに起因する賞球の払い出しが行われるかもしれないとの期待感を遊技者に与えることが可能となる。
【００６１】
そこにおいて、本実施形態では、センター役物３６に設けられた下側転動フロア５８における奥方右側の区画領域６６に形成された排出口７２に遊技球が入球した場合に、上段右側の可変入賞装置８０ｃに設けられた一対の可動翼片８４ｃ，８４ｃが傾動せしめられるようになっていることから、誘導口４８を狙って遊技球を発射することが、上段右側の可変入賞装置８０ｃに遊技球が入球する可能性を高めることに繋がる。これにより、誘導口４８を狙って遊技球を発射することに対して、賞球の払い出しの他に、一対の可動翼片８４ｃ，８４ｃの傾動状態の発現というメリットを遊技者に与えることが可能となる。
【００６２】
また、本実施形態では、上段右側の可変入賞装置８０ｃに設けられた一対の可動翼片８４ｃ，８４ｃは、一度傾動せしめられると、遊技球が入球するまで、その状態を維持するようになっていることから、上段右側の可変入賞装置８０ｃに遊技球が入球する可能性を一層高めて遊技者に楽しみを与えることが可能となる。
【００６３】
以上、本発明の一実施形態について詳述してきたが、これはあくまでも例示であって、本発明は、かかる実施形態における具体的な記載によって、何等、限定的に解釈されるものではない。
【００６４】
例えば、前記実施形態では、センター役物３６内に三つの排出口６８，７０，７２が形成されていたが、センター役物３６内に形成される排出口は、一つであっても良いし、二つであっても良いし、或いは、四つ以上であっても良い。
【００６５】
また、前記実施形態では、センター役物３６内において、上側転動フロア５２と下側転動フロア５８が設けられていたが、下側転動フロア５８のみが設けられていても良い。
【００６６】
さらに、前記実施形態では、下側転動フロア５８において、縦壁６０が突出形成されており、それによって、下側転動フロア５８が三つの領域６２，６４，６６に分割されていたが、かかる縦壁６０は、必ずしも、必要なものではない。
【００６７】
更にまた、前記実施形態では、図示しない電気モータによって回転駆動せしめられる螺旋通路５６を含んで振分手段が構成されていたが、振分手段は、かかる実施形態に記載のものに限定されることはない。また、螺旋通路５６は、前記実施形態において、必ずしも、必要なものではない。
【００６８】
また、前記実施形態では、六つの可変入賞装置８０ａ〜ｆが遊技領域３４に設けられていたが、遊技領域３４に設けられる可変入賞装置８０の数は、前記実施形態の数に限定されるものではない。更にまた、採用される可変入賞装置の構造も、前記実施形態のものに限定されることはない。
【００６９】
その他、一々列挙はしないが、本発明は、当業者の知識に基づいて、種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００７０】
【図１】本発明の一実施形態としてのパチンコ機を示す正面図である。
【図２】図１に示されたパチンコ機に採用されている遊技盤を示す正面図である。
【図３】図２に示された遊技盤に形成された遊技領域に設けられているセンター役物を示す斜視図である。
【符号の説明】
【００７１】
１０  パチンコ機
３４  遊技領域
３６  センター役物
４４  庇
４６  上面
４８  誘導口
６８  排出口
７０  排出口
７２  排出口
８０ｃ  可変入賞装置
【図１】
2006174913.tif 000003
【図２】
2006174913.tif 000004
【図３】
2006174913.tif 000005